(57)【要約】      （修正有）【課題】プール可動床駆動装置を、可動床を任意の停止位置に止められるものとし、更に、装置全体の高さも低くしてプールの水深が浅くならないものとし、その上、装置を小型化すると共に、極めて簡単な構造とする。【解決手段】次の４手段よりなるプール可動床駆動装置とする。第１、２４ボルト駆動のモータ３と水平方向設置のシャフト４とパンタグラフ５とよりなるジャッキアップ装置１を可動床２下面に固着する。第２、モータはパンタグラフに固定する。第３、パンタグラフの上リンク部５２はプレート５６にて可動床に固着し、下リンク部５３にはプール固定床に固定されない接床プレート５７を装着し、モータ側リンク部５５はシャフト４の回転は可能で対角線方向の移動不可にシャフトが貫通し、対角のリンク部５４はシャフトと螺合して貫通する。第４、リンク部の作動により、上リンク部に固着された可動床の高さを制御する。【選択図】図１
0003219788.tif 000002
【実用新案登録請求の範囲】
【請求項１】
正転逆転制御可能な２４ボルト駆動のモータと、
水平方向に設けられ、前記モータに連結されて回転させられるスクリューシャフトと、
該スクリューシャフトにより水平方向に伸縮するパンタグラフと、
によりなるジャッキアップ装置をプールの可動床下面に固着してなるプール可動床駆動装置において、
前記モータは、前記パンタグラフに該モータ自体が回転しないよう支持板にて固定され、
前記パンタグラフは、２本の上部アームと２本の下部アームの端部同士が上下左右４個のリンク部で連結された平行四辺形に構成され、
上端のリンク部は、固着用プレートにてプールの可動床に固着され、
下端のリンク部は、プール固定床に固定されない接床プレートが装着され、
横方向左右のリンク部のうちモータ側リンク部は、スクリューシャフトの回転は可能ではあるが対角線方向には移動しないように前記スクリューシャフトを貫通させ、
他端、すなわちスクリューシャフトの先端側リンク部は前記スクリューシャフトと螺合させて貫通させ、
前記接床プレートがプール固定床に接した状態で、前記モータを駆動させ、前記左右のリンク部を接近隔離させることにより、上端のリンク部に固着されたプールの可動床の高さを制御可能としたプール可動床駆動装置。
【考案の詳細な説明】
【技術分野】
【０００１】
本考案は、既存の固定床のプールを改造することなく、可動床のプールに変更することができるプール可動床駆動装置に関する。詳しくは、正転逆転制御可能な電動駆動のモータと、該モータに連結されて回転させられるスクリューシャフトと、該スクリューシャフトにより伸縮するパンタグラフと、によりなる極めて簡単な構造のジャッキアップ装置をプールの可動床下面に固着してなるプール可動床駆動装置に関するものである。
【背景技術】
【０００２】
従来より、プール可動床駆動装置として特許文献１に示されるような装置（特許文献１では昇降式プール装置と称されている。）が提供されていた。該装置は、プールの可動床をジャッキユニットによって支持するもので、シリンダユニットに、流体圧配管から作動流体を所定の状態で供給・排出して、シリンダロッドの伸縮動作により、可動床を上昇下降させるものであった。
【０００３】
該装置のシリンダユニットは、通常、油圧シリンダが用いられていた。油圧シリンダに代表される流体圧シリンダは、油圧ポンプなど大型の装置が必要となり、装置の大型化を招くといった問題があった。また、油圧シリンダは、可動床を、自由に好きな任意の停止位置に止められない。そこで、最上部停止位置以外の途中でも止める場合には、シリンダユニットを多段式シリンダユニットで構成することにより、多段階等での停止位置の制御とする必要がある等、設計が面倒である上、多段階とすると装置のための場所の確保が必要になるといった問題があった。
【０００４】
更に、該装置のジャッキユニットは、可動床側アームと固定床側アームの他にシリンダユニットのためのシリンダアームを必要とする上、ジャッキユニットで可動床を上下動させるための作動流体を供給・排出させる流体圧配管を必要とするものであり、装置が複雑なものとなるといった問題があった。    
【先行技術文献】
【特許文献】
【０００５】
【特許文献１】特開２０１１−２４７０６１号特許公開公報
【考案の概要】
【考案が解決しようとする課題】
【０００６】
そこで、本考案は、水中で用いても安全な２４ボルトの電動駆動モータに連結されて回転させられるスクリューシャフトと、該スクリューシャフトにより伸縮するパンタグラフとによりなるジャッキアップ装置を利用することにより、可動床を、自由に好きな任意の停止位置に止められるプール可動床駆動装置とし、更に、スクリューシャフトを水平方向に設けることにより、パンタグラフがもっとも縮んだ状態においては、装置全体の高さを低くすることができ、プールの水深が浅くならないプール可動床駆動装置とし、装置を小型化すると共に、極めて簡単な構造とすることにより、コストダウンに繋がるプール可動床駆動装置を提供することを目的とする。
【課題を解決するための手段】
【０００７】
上記課題を解決するため、次の手段を採用したプール可動床駆動装置とする。
第１に、正転逆転制御可能な２４ボルト駆動のモータと、水平方向に設けられ、前記モータに連結されて回転させられるスクリューシャフトと、該スクリューシャフトにより水平方向に伸縮するパンタグラフと、によりなるジャッキアップ装置をプールの可動床下面に固着してなるプール可動床駆動装置とする。
第２に、前記モータは、前記パンタグラフに該モータ自体が回転しないよう支持板にて固定される。
第３に、前記パンタグラフは、２本の上部アームと２本の下部アームの端部同士が上下左右４個のリンク部で連結された平行四辺形に構成され、上端のリンク部は、固着用プレートにて可動床に固着され、下端のリンク部は、プール固定床に固定されない接床プレートが装着され、横方向左右のリンク部のうちモータ側リンク部は、スクリューシャフトの回転は可能ではあるが対角線方向には移動しないように前記スクリューシャフトを貫通させ、他端、すなわちスクリューシャフトの先端側リンク部は前記スクリューシャフトと螺合させて貫通させる。
第４に、前記接床プレートがプール固定床に接した状態で、前記モータを駆動させ、前記左右のリンク部を接近隔離させることにより、上端のリンク部に固着された可動床の高さを制御可能としたプール可動床駆動装置とする。
【考案の効果】
【０００８】
本考案は、以下の効果を発揮する。
第１に、通常電圧の１００ボルト駆動モータではなく、駆動モータを２４ボルトとしたので、水中で漏電した場合であっても感電の危険がないプール可動床駆動装置を提供することができた。
【０００９】
第２に、正転逆転制御可能な２４ボルト駆動のモータと、水平方向に設けられ、モータに連結されて回転させられるスクリューシャフトと、該スクリューシャフトにより水平方向に伸縮するパンタグラフとによりなるジャッキアップ装置をプールの可動床下面に固着してなるプール可動床駆動装置とするので、別途駆動動力の基となる油圧供給のためのポンプや配管等の設備の必要がなく、更に、シリンダユニットのためのシリンダアーム等を必要とせず、複雑な構造とならず、故障も少なく、費用もかからない小型な装置とすることができた。
【００１０】
第３に、プールの可動床の昇降力を伝達するスクリューシャフトを水平方向に設けたので、装置の高さを低く保つことができ、プールの深さの減少を少なく抑えることができた。更に、スクリューシャフトのピッチと回転数により可動床の昇降距離を決定できるため、可動床の高さを無段階に設定できる。
第４に、ジャッキアップ装置をプールの可動床下面に固着用プレートを介して固着しているので、作業可能位置で可動床を支柱にて固定することにより、プール清掃やプール可動床駆動装置の修理点検作業が容易なものとなった。
第５に、パンタグラフにモータ自体が回転しないよう支持板にて固定しているので、特別のモータの高さ位置を調整するための機構などが必要なくなった。
【図面の簡単な説明】
【００１１】
【図１】プール可動床駆動装置で可動床を上昇させた状態を示す側面図
【図２】同装置で可動床を最下点に下降させた状態の側面図
【図３】プール内で可動床を最下点に移動した状態の側面概要図
【図４】プール内で可動床を上昇位置に移動した状態の側面概要図
【図５】プール清掃時等で可動床を支柱で保持した状態の側面概要図
【図６】プール可動床駆動装置の設置箇所を示すプール平面図
【考案を実施するための形態】
【００１２】
以下、図面に従って、実施例と共に本考案を実施するための形態について説明する。
図１は、プール可動床駆動装置で可動床を上昇させた状態を示す側面図であり、図２は、同装置で可動床を最下点に下降させた状態の側面図である。本考案に係るプール可動床駆動装置は、図３乃至図５及び図６に示すように、ジャッキアップ装置１をプール８の可動床２の下面に固着してなるものである。実施例では、可動床２の下面で図６に示される位置に、１５個のジャッキアップ装置１が設置されている。
【００１３】
ジャッキアップ装置１は、図１及び図２に示すように、電動モータ３と、水平方向に設けられ、電動モータ３に連結されて回転させられるスクリューシャフト４と、該スクリューシャフト４により水平方向に伸縮するパンタグラフ５とによりなる。
【００１４】
電動モータ３は、正転逆転制御可能な２４ボルト駆動のモータである。電動モータ３で昇降させる可動床２は、昇降する水中においては浮力により極めて小さな重量となるため、２４ボルト駆動モータの出力で十分対応可能である。該電動モータ３は、自身の回転力により電動モータ３自体が回転しないように、パンタグラフ４に支持板６にて固定される。
【００１５】
スクリューシャフト４は、電動モータ３に連結され、電動モータ３により正転逆転する。スクリューシャフト４は、水平方向に設けられる。スクリューシャフト４が水平方向に設けられているため、パンタグラフ４の高さを低くすること、すなわち、プール８水深の減少を押さえることが可能となった。
【００１６】
パンタグラフ５は、２本の上部アーム５０と２本の下部アーム５１とを有し、該４本のアーム同士が、上下左右４個のリンク部５２，５３，５４，５５で連結された平行四辺形に構成されている。上端すなわち、２本の上部アーム５０，５０を連結するリンク部５２は、２本の上部アーム５０，５０の可動床２側の先端にそれぞれ設けられる歯車がかみ合うことにより連結し、固着用プレート５６にてプールの可動床２に固着される。下端すなわち、２本の下部アーム５１，５１を連結するリンク部５３には、プール固定床７には固定されない接床プレート５７が装着される。
【００１７】
横方向左右のリンク部のうちモータ側のリンク部５５は、図１における右側の上部アーム５０と右側の下部アーム５１とを連結するリンク部である。スクリューシャフト４は、リンク部５５に対し、スクリューシャフト４の回転は可能ではあるが、その回転によりリンク部５５が対角線方向に移動しないように貫通している。
【００１８】
他端、すなわちスクリューシャフト４の先端側リンク部５４は、図１に示される左側の上部アーム５０と左側の下部アーム５１とを連結するリンク部である。スクリューシャフト４は、リンク部５４と螺合状態で貫通している。
尚、実施例では、電動モータ３は、パンタグラフ５の右側に設けられているが、左右どちらに設けても良い。
【００１９】
以下、スクリューシャフト４の電動モータ３による動きと、パンタグラフ５の上下動の関係を説明する。
実施例において、電動モータ３を駆動（正転）すると、スクリューシャフト４が回転する。このとき、スクリューシャフト４の先端側のリンク部５４がスクリューシャフト４と螺合して貫通しているため、スクリューシャフト４の回転数に応じた長さ分、電動モータ３側のリンク部５５に向かって移動するが、このときモータ側リンク部５５は移動しないため、左右のリンク部５４，５５が近接し、上下のリンク部５２とリンク部５３とが隔離させられる。
【００２０】
このとき、接床プレート５７がプール固定床７に接していると、接床プレート５７の装着されているリンク部５３は、下降することができず、固着用プレート５６のみが上昇し、固着用プレート５６上にある可動床２は上昇する。可動床２が上昇位置に移動すると、図３より図４に示す状態となる。このように、スクリューシャフト４のピッチと回転数により可動床２の上昇高さを決定できるため、無段階の高さ設定が可能となる。
【００２１】
電動モータ３が逆転すると、スクリューシャフト４の回転により、スクリューシャフト４の先端側のリンク部５４が電動モータ３側のリンク部５５から遠ざかる方向に移動し、上下のリンク部５２とリンク部５３とが接近させられ、リンク部５３に装着された接床プレート５７が、プール固定床７に接していると下降し、可動床２が最下点に移動する。この状態を示すのが、図３である。
【００２２】
本考案では、スクリューシャフト４を水平方向に設けることにより、装置の高さを低く保つことができるものとなった。その結果、図３に示される実施例では、可動床２を最下点に移動した場合には、プール８の１ｍの水深に対して、深さの減少を１５ｃｍに押さえることが可能な装置となり、８５ｃｍの水深を得られる装置となった。また、可動床２がもっとも上昇した位置に移動した場合には、図４に示すように、可動床２を５０ｃｍ上昇させて、５０ｃｍの深さのプール８として使用することの可能な装置となり、大人から子供までの使用が可能なプール８を提供することができる装置となった。尚、該装置は、パンタグラフ５が上下動する範囲内の任意の位置に可動床２を上下動することにより、水深を変化させて使用することも可能である。
【００２３】
プール８清掃時等には、図５に示すように、ジャッキアップ装置１を固着した可動床２を、手動操作によりプール８の最上位置まで移動させて、可動床２上面よりプール固定床７まで挿入され立設される支柱９により、可動床２を支持保持する。これにより、可動床２下面の空間に入ることにより、容易に、プールの清掃やプール可動床駆動装置の修理点検作業を行うことが可能となった。
【符号の説明】
【００２４】
１・・・・・・・・・・・・・・ジャッキアップ装置
２・・・・・・・・・・・・・・可動床
３・・・・・・・・・・・・・・電動モータ
４・・・・・・・・・・・・・・スクリューシャフト
５・・・・・・・・・・・・・・パンタグラフ
５０・・・・・・・・・・・・・上部アーム
５１・・・・・・・・・・・・・下部アーム
５２，５３，５４，５５・・・・リンク部
５６・・・・・・・・・・・・・固着用プレート
５７・・・・・・・・・・・・・接床プレート
６・・・・・・・・・・・・・・支持板
７・・・・・・・・・・・・・・プール固定床
８・・・・・・・・・・・・・・プール
９・・・・・・・・・・・・・・支柱
【図１】
0003219788.tif 000003
【図２】
0003219788.tif 000004
【図３】
0003219788.tif 000005
【図４】
0003219788.tif 000006
【図５】
0003219788.tif 000007
【図６】
0003219788.tif 000008